【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
電気接続装置であって、
（ａ）少なくとも１つの積重ね可能なブロックを含み、各積重ね可能なブロックは別の積重ね可能なブロックと作動的に結合させることができ、
（ｂ）前記少なくとも１つの積重ね可能なブロックの内壁内に設けられた少なくとも１つのピン受入れ部分と、
（ｃ）少なくとも１つの電気接続接点と、
を更に含み、前記少なくとも１つの電気接続接点は、
（i）前記少なくとも１つのピン受入れ部分内に配置されたＣ字形触部分を含み、前記Ｃ字形接触部分は弾力特性を有しており、
（ii）前記積重ね可能なブロックの外部の位置に配置されるリード部分を更に含み、前記Ｃ字形接触部分及び前記リード部分が一体となって前記少なくとも１つの電気接続接点を形成し、
（ｄ）前記少なくとも１つの各積重ね可能なブロック内に回転可能なように配置されている調整要素を更に含み、前記調整要素は、前記少なくとも１つの各ピン受入れ部分内に配列される前記Ｃ字形接触部分を挿入位置と接触位置との間で移動させるように構成されていることを特徴とする装置。
【請求項２】
前記電気接続接点は、貴金属からなることを特徴とする請求項１に記載の装置。
【請求項３】
前記少なくとも１つの積重ね可能なブロックに結合するように構成されている少なくとも１つの端ブロックを更に含むことを特徴とする請求項１に記載の装置。
【請求項４】
前記端ブロック及び前記少なくとも１つの積重ね可能なブロックを固定するように構成されている外部クリップを更に含むことを特徴とする請求項３に記載の装置。
【請求項５】
前記少なくとも１つの端ブロック及び前記少なくとも１つの各積重ね可能なブロック内に設けられている中央開口を通して配置されるボルトを更に含み、前記ボルトは前記少なくとも１つの端ブロック及び前記少なくとも１つの各積重ね可能なブロックを固定するように構成されていることを特徴とする請求項３に記載の装置。
【請求項６】
前記少なくとも１つの各ピン受入れ部分に組合されたシール要素を更に含み、前記シール要素は垂直シール部分及び水平シール部分からなることを特徴とする請求項１に記載の装置。
【請求項７】
前記垂直シール部分は第１の端及び第２の端を含み、前記第１の端は前記少なくとも１つの積重ね可能なブロックの１つと接触するように構成され、前記第２の端は前記少なくとも１つの積重ね可能なブロックの別のブロックと接触するように構成されていることを特徴とする請求項６に記載の装置。
【請求項８】
前記水平シール部分は第１の端及び第２の端を含み、前記第１の端は前記ピン受入れ部分内に配置されているピンと接触するように構成され、前記第２の端は前記少なくとも１つの積重ね可能なブロックの１つと接触するように構成されていることを特徴とする請求項６に記載の装置。
【請求項９】
前記水平シールは、前記少なくとも１つの積重ね可能なブロックの２つブロックの間をシールすることを特徴とする請求項８に記載の装置。
【請求項１０】
前記Ｃ字形接触部分は、前記少なくとも１つのピン受入れ部分内へ挿入可能なように構成されているピンの外径よりも大きい非拘束時直径を有していることを特徴とする請求項１に記載の装置。
【請求項１１】
前記調整要素は少なくとも１つのＣ字形接触部分と作動的に結合可能な少なくとも１つのカム接触部分を含み、前記調整要素を回転させると前記少なくとも１つのカム接触部分が前記少なくとも１つのＣ字形接触部分を前記挿入位置と前記接触位置との間で運動させるようになっていることを特徴とする請求項１に記載の装置。
【請求項１２】
前記各Ｃ字形接触部分の端に配列されている電気接触タブと、
前記調整要素に組合され、前記積重ね可能なブロック内に配列されている少なくとも１つのスライダーと、
を更に含み、
前記スライダーは、前記電気接触タブの少なくとも１つを受入れるように構成され、
前記調整要素は、前記調整要素の回転に応答して上方へ、及び下方へ運動し、前記電気接触タブに前記Ｃ字形接触部分を前記挿入位置と前記接触位置との間で運動させるように構成されている、
ことを特徴とする請求項１に記載の装置。
【請求項１３】
前記少なくとも１つの積重ね可能なブロックは前記調整要素を受入れるように構成された調整要素受入れ部分を含み、前記調整要素受入れ部分は第１及び第２のハードストップを含み、前記第１ハードストップは実質的に前記調整要素の挿入位置に対応し、前記第２ハードストップは実質的に前記調整要素の接触位置に対応していることを特徴とする請求項１に記載の装置。
【請求項１４】
前記調整要素はドライブ要素及びドライブ受入れ要素を更に含み、前記ドライブ受入れ要素は隣接する調整要素の別のドライブ要素と係合するように構成されていることを特徴とする請求項１３に記載の装置。
【請求項１５】
前記調整要素を前記挿入位置と前記接触位置との間で回転させるために、前記ドライブ受入れ要素と係合するように構成されているツールを更に含むことを特徴とする請求項１４に記載の装置。
【請求項１６】
内壁に設けられている調整要素アクセス部分を含む第１端ブロックを更に含み、前記第１端ブロックは、調整要素を含む少なくとも１つの積重ね可能なブロックの第１の側に結合されるように構成されていることを特徴とする請求項１に記載の装置。
【請求項１７】
少なくとも１つの内壁に設けられている少なくとも１つのピンアクセス部分を含む第２端ブロックを更に含み、前記第２端ブロックは、前記少なくとも１つの積重ね可能なブロック内の内壁に設けられている前記少なくとも１つのピン受入れ部分が、前記第２端ブロックの前記ピンアクセス部分の領域に対応する領域に位置決めされるように、前記少なくとも１つの積重ね可能なブロックの第２の側に結合されるように構成されていることを特徴とする請求項１６に記載の装置。
【請求項１８】
電気接続装置であって、
（ａ）少なくとも１つの積重ね可能なブロックを含み、各積重ね可能なブロックは別の積重ね可能なブロックと作動的に結合させることができ、
（ｂ）前記少なくとも１つの積重ね可能なブロックの内壁内に設けられた少なくとも１つのピン受入れ部分と、
（ｃ）少なくとも１つの電気接続接点と、
を更に含み、前記少なくとも１つの電気接続接点は、
（i）前記少なくとも１つのピン受入れ部分内に配置されたＣ字形触部分を含み、前記Ｃ字形接触部分は弾力特性を有しており、
（ii）前記積重ね可能なブロックの外部の位置に配置されるリード部分を更に含み、前記Ｃ字形接触部分及び前記リード部分が一体となって前記少なくとも１つの電気接続接点を形成し、
（ｄ）前記少なくとも１つの積重ね可能なブロックに結合するように構成されている少なくとも１つの端ブロックと、
（ｅ）前記少なくとも１つの端ブロック及び前記少なくとも１つの各積重ね可能なブロック内に設けられている中央開口を通して配置されるボルトを更に含み、前記ボルトは前記少なくとも１つの端ブロック及び前記少なくとも１つの各積重ね可能なブロックを固定するように構成されていることを特徴とする装置。
【請求項１９】
前記Ｃ字形接触部分は、前記少なくとも１つのピン受入れ部分内へ挿入可能なピンの外径よりも小さい非拘束時直径を含むことを特徴とする請求項１８に記載の装置。
【請求項２０】
前記電気接続接点は、貴金属からなることを特徴とする請求項１８に記載の装置。
【請求項２１】
電気接続装置であって、
（ａ）少なくとも１つの積重ね可能なブロックを含み、各積重ね可能なブロックは別の積重ね可能なブロックと作動的に結合させることができ、
（ｂ）前記少なくとも１つの積重ね可能なブロックの内壁内に設けられた少なくとも１つのピン受入れ部分と、
（ｃ）少なくとも１つの電気接続接点と、
を更に含み、前記少なくとも１つの電気接続接点は、
（i）前記少なくとも１つのピン受入れ部分内に配置されたＣ字形触部分を含み、前記Ｃ字形接触部分は弾力特性を有しており、
（ii）前記積重ね可能なブロックの外部の位置に配置されるリード部分を更に含み、前記Ｃ字形接触部分及び前記リード部分が一体となって前記少なくとも１つの電気接続接点を形成し、
（ｄ）前記少なくとも１つの各ピン受入れ部分に組合されたシール要素を更に含み、前記シール要素は垂直シール部分及び水平シール部分からなり、
前記少なくとも１つの積重ね可能なブロックは、前記シール要素を保持するための少なくとも１つの保持クリップを含むことを特徴とする装置。
【請求項２２】
前記電気接続接点は、貴金属からなることを特徴とする請求項２１に記載の装置。
【請求項２３】
前記Ｃ字形接触部分は、前記少なくとも１つのピン受入れ部分内へ挿入可能なピンの外径よりも小さい非拘束時直径を有していることを特徴とする請求項２１に記載の装置。
【請求項２４】
前記少なくとも１つの積重ね可能なブロックに結合するように構成されている少なくとも１つの端ブロックを更に含むことを特徴とする請求項２１に記載の装置。
【請求項２５】
前記端ブロック及び前記少なくとも１つの積重ね可能なブロックを固定するように構成されている外部クリップを更に含むことを特徴とする請求項２４に記載の装置。
【請求項２６】
前記少なくとも１つの端ブロック及び前記少なくとも１つの各積重ね可能なブロック内に設けられている中央開口を通して配置されるボルトを更に含み、前記ボルトは前記少なくとも１つの端ブロック及び前記少なくとも１つの各積重ね可能なブロックを固定するように構成されていることを特徴とする請求項２１に記載の装置。
【請求項２７】
前記水平シール部分は第１の端及び第２の端を含み、前記第１の端は前記ピン受入れ部分内に配置されているピンと接触するように構成され、前記第２の端は前記少なくとも１つの積重ね可能なブロックの１つと接触するように構成されていることを特徴とする請求項２１に記載の装置。
【請求項２８】
前記水平シールは、前記少なくとも１つの積重ね可能なブロックの２つブロックの間をシールすることを特徴とする請求項２７に記載の装置。
【請求項２９】
電気接続装置であって、
（ａ）少なくとも１つの積重ね可能なブロックを含み、前記各ブロックは別の積重ね可能なブロックと作動的に結合させることができ、
（ｂ）挿入可能なピンを受入れる少なくとも１つの手段を更に含み、前記挿入可能なピンを受入れる手段は前記少なくとも１つの積重ね可能なブロック内に設けられ、
（ｃ）挿入可能なピンと外部デバイスとの間を電気的に接続する少なくとも１つの手段を更に含み、前記電気的に接続する手段は前記少なくとも１つの積重ね可能なブロック内に配置されていて、
前記電気的に接続する少なくとも１つの手段は、
（i）前記挿入可能なピンを受入れる手段内に配置された前記挿入可能なピンと接触する手段を含み、前記挿入可能なピンと接触する手段は弾力特性を有しており、
（ii）前記外部デバイスと接触する外部手段を更に含み、前記外部手段は前記挿入可能なピンと接触する手段と電気的に結合され、
（ｄ）前記挿入可能なピンと接触する手段を、挿入位置と接触位置との間で調整する手段を更に含むことを特徴とする装置。
【請求項３０】
埋込まれた医療デバイスと埋込まれた刺激電極を電気的に接続する方法であって、
少なくとも１つの積重ね可能なブロック、及び前記少なくとも１つの積重ね可能なブロックの第１及び第２の端に配列される第１端ブロック及び第２端ブロックを含む接続デバイスを準備するステップを含み、
前記少なくとも１つの各積重ね可能なブロックは、
（ａ）前記積重ね可能なブロックに設けられている少なくとも１つのピン受入れ部分、  （ｂ）少なくとも１つの電気接続接点、
を更に含み、
前記電気接続接点は、
（i）前記少なくとも１つのピン受入れ部分内に配置されるＣ字形接触部分を含み、
前記Ｃ字形接触部分は弾力特性を有しており、
（ii）前記積重ね可能なブロックの外側位置に配置されているリード部分を更に含み、  前記ピンを前記少なくとも１つのピン受入れ部分内へ挿入するステップを更に含み、前記ピンは前記埋込まれた医療デバイス及び前記埋込まれた刺激電極の一方に電気的に結合され、
リード部分を、前記埋込まれた医療デバイスまたは前記埋込まれた刺激電極の他方に電気的に結合するステップと、
前記少なくとも１つの積重ね可能なブロックの各々内に配置されている調整要素を回転させるステップを更に含み、それによって前記Ｃ字形接触部分を、前記ピンと接触する接触位置と挿入位置との間で運動させることを特徴とする方法。